(57)【要約】【課題】色覚異常者に赤色灯と黄色灯を識別させ、色覚正常者に違和感が少ない信号灯器を提供する。【解決手段】本発明の一実施形態に係る信号灯器１００は、黄色灯１０Ｙを具備する。黄色灯１０Ｙは、基板１Ｙと、主発光部１１Ｙと、補助発光部１２Ｙとを有する。主発光部１１Ｙは、基板１Ｙ上に配置され黄色発光可能なＬＥＤ素子２Ｙの集合体を有する。補助発光部１２Ｙは、主発光部１１Ｙ内に所定の図形を描くように配置され、青系色と黄色との混合色で主発光部１１Ｙと同時に発光するように構成される。【選択図】図４
2015032163.tif 000002
【特許請求の範囲】
【請求項１】
第１の支持部材と、前記第１の支持部材上に配置され黄色発光可能な第１のＬＥＤ素子の集合体を有する第１の主発光部と、前記第１の主発光部内に第１の図形を描くように配置され青系色と黄色との混合色で前記第１の主発光部と同時に発光するように構成された第１の補助発光部と、を有する黄色灯
を具備する信号灯器。
【請求項２】
請求項１に記載の信号灯器であって、
前記第１の補助発光部は、前記青系色で発光可能な第１の補助ＬＥＤ素子の集合体を有し、
前記第１の補助ＬＥＤ素子各々は、前記第１のＬＥＤ素子の集合体のうち所定の複数の第１のＬＥＤ素子にそれぞれ近接して配置される
信号灯器。
【請求項３】
請求項１に記載の信号灯器であって、
前記第１の補助発光部は、前記青系色と黄色との混合色で発光可能な複数のＬＥＤ素子で構成される
信号灯器。
【請求項４】
請求項２に記載の信号灯器であって、
前記第１の補助ＬＥＤ素子は、前記第１のＬＥＤ素子よりも小型のＬＥＤ素子で構成される
信号灯器。
【請求項５】
請求項４に記載の信号灯器であって、
前記第１の補助ＬＥＤ素子各々は、前記複数の第１のＬＥＤ素子各々の周囲にそれぞれ少なくとも１つずつ配置される
信号灯器。
【請求項６】
請求項５に記載の信号灯器であって、
前記第１の補助ＬＥＤ素子の集合体は、前記複数の第１のＬＥＤ素子各々の鉛直下方にそれぞれ配置された複数の補助ＬＥＤ素子を含む
信号灯器。
【請求項７】
請求項１〜６のいずれか１つに記載の信号灯器であって、
前記第１の支持部材に直交もしくは隣接して配置された第２の支持部材と、前記第２の支持部材上に配置され赤色発光可能な第２のＬＥＤ素子の集合体を有する第２の主発光部と、前記第２の主発光部内に前記第１の図形とは異なる第２の図形を描くように配置され前記青系色と赤色との混合色で前記第２の主発光部と同時に発光するように構成された第２の補助発光部と、を有する赤色灯
をさらに具備する信号灯器。
【請求項８】
請求項７に記載の信号灯器であって、
前記第２の補助発光部は、前記青系色で発光可能な第２の補助ＬＥＤ素子の集合体を有し、
前記第２の補助ＬＥＤ素子各々は、前記第２のＬＥＤ素子の集合体のうち所定の複数の第２のＬＥＤ素子各々にそれぞれ近接して配置される
信号灯器。
【発明の詳細な説明】
【技術分野】
【０００１】
本発明は、色覚異常者でも灯色の識別が可能であり、色覚正常者に違和感が少ない信号灯器に関する。
【背景技術】
【０００２】
近年、車両用交通信号灯の光源にＬＥＤ（Light Emitting Diode）が広く採用されている。ＬＥＤ信号灯は、単一の輝度及び色度の光を放射するＬＥＤ素子を集合させたものであり、従前の電球式信号灯に比べて視認性が高く、さらに反射鏡を必要としないことから擬似点灯防止という点でも優れる。
【０００３】
その一方で、ＬＥＤ信号灯は、灯色間での明暗の差が小さいため、電球式信号灯では明暗の差によって灯色を識別していた色覚異常者にとっては、例えば黄と赤とが同じように見えるという問題が指摘されている。
【０００４】
ここで、色覚異常には、赤色に対して感度が低い第１色覚異常と、緑色に対して感度が低い第２色覚異常とが知られている。第１色覚異常及び第２色覚異常は青色に対しては高い感度を有している。国内の交通信号の青灯には緑よりも青寄りの色度が採用されているため、第２色覚異常者による青灯の識別性は比較的高い。したがって実情としては、赤灯と黄灯との識別誤認が問題となる。
【０００５】
そこで、赤灯と黄灯との識別が困難な色覚異常者でも灯色の識別を可能とする信号灯が種々提案されている。
【０００６】
例えば下記特許文献１には、赤色ランプ、黄色ランプ及び青色ランプを、多数の発光ダイオードの配置によってそれぞれ異なる形状（例えば赤色ランプを「×」形、黄色ランプを「△」形、青色ランプを「○」形）で点灯表示させる交通信号灯が記載されている。しかしながら、このような構成の信号灯では、色覚正常者にとっては通常の信号灯とは根本的に全く異なるものとなるため色覚異常者専用の信号灯としての認識が強くなること、点灯面積が通常の信号灯面積よりも小さくなるため定められた輝度を確保するのが非常に困難であること、等の問題がある。
【０００７】
下記特許文献２には、赤色ＬＥＤ素子群に、紫色系で発光する識別用ＬＥＤ素子がＸ字状にパターン化された赤色ＬＥＤ信号灯が記載されている。この構成により、必要とされる輝度を確保しつつ、色覚正常者にとって違和感なく、色覚異常者にとって識別可能となるユニバーサルデザイン赤色灯を提供可能としている。
【先行技術文献】
【特許文献】
【０００８】
【特許文献１】特開平１０−３５９６号公報
【特許文献２】特許第３９４７８２５号公報
【発明の概要】
【発明が解決しようとする課題】
【０００９】
例えば、赤点滅灯あるいは黄点滅灯を備えた一灯式の交差点等においては、色覚異常者にとっては赤点滅（一時停止表示）であるか又は黄点滅（徐行表示）であるかの判別は、青、黄及び赤の三灯式信号と異なり、点灯している位置情報（左、中、右）が与えられないため、困難となる。また上記特許文献２に記載の信号灯では、赤色灯にのみ対策が施されているため、色覚異常者が黄色灯のみを見た場合には、その信号灯器がユニバーサルデザインに対応しているのかどうかがわからない。
【００１０】
以上のような事情に鑑み、本発明の目的は、色覚異常者に赤色灯と黄色灯を識別させ、色覚正常者に違和感が少ないユニバーサルデザイン信号灯器を提供することにある。
【課題を解決するための手段】
【００１１】
上記目的を達成するため、本発明の一形態に係る信号灯器は、黄色灯を具備する。
上記黄色灯は、第１の支持部材と、第１の主発光部と、第１の補助発光部とを有する。上記第１の主発光部は、上記第１の支持部材上に配置され黄色発光可能な第１のＬＥＤ素子の集合体を有する。上記第１の補助発光部は、上記第１の主発光部内に第１の図形を描くように配置され、青系色と黄色との混合色で上記第１の主発光部と同時に発光するように構成される。
【図面の簡単な説明】
【００１２】
【図１】本発明の第１の実施形態に係る信号灯器を示す概略正面図である。
【図２】上記信号灯器の底面図である。
【図３】上記信号灯器を構成する信号灯の概略断面図である。
【図４】上記信号灯器における黄色信号灯の正面図である。
【図５】上記信号灯器における赤色信号灯の正面図である。
【図６】上記黄色信号灯及び赤色信号灯の補助発光部を構成するＬＥＤ素子の配置例を説明する図である。
【図７】上記黄色信号灯の色相をｘｙ色度座標で表した図である。
【図８】上記赤色信号灯の色相をｘｙ色度座標で表した図である。
【図９】本発明の第２の実施形態に係る信号灯器の概略正面図である。
【図１０】上記信号灯器における青色信号灯の正面図である。
【図１１】本発明の第３の実施形態に係る黄色信号灯の正面図である。
【図１２】本発明の第３の実施形態に係る赤色信号灯の正面図である。
【発明を実施するための形態】
【００１３】
本発明の一実施形態に係る信号灯器は、黄色灯を具備する。
上記黄色灯は、第１の支持部材と、第１の主発光部と、第１の補助発光部とを有する。
上記第１の主発光部は、上記第１の支持部材上に配置され黄色発光可能な第１のＬＥＤ素子の集合体を有する。上記第１の補助発光部は、上記第１の主発光部内に第１の図形を描くように配置され、青系色と黄色との混合色で上記第１の主発光部と同時に発光するように構成される。
【００１４】
上記信号灯器において、第１の補助発光部は、第１の主発光部と同時に発光される。このとき第１の補助発光部は、色覚異常者には青系色の所定の図形パターンで認識され、色覚正常者には上記青系色と黄色との混合色すなわち白色に近い色で認識される。したがって上記信号灯器によれば、色覚正常者にとっては違和感が少なく、色覚異常者にとっては識別が可能な黄色灯を構成することができる。
【００１５】
上記第１の図形は特に限定されず、色覚異常者にとって識別しやすく、色覚正常者にとっては違和感の少ない、直線、曲線あるいはそれらの組み合わせ等の適宜の形状を選択することができる。第１の図形は、典型的には、ユニバーサルデザイン対応の赤色灯で識別される図形とは異なる形状が採用される。これにより赤色灯と黄色灯との識別が可能となる。
【００１６】
上記青系色には、色覚異常者（特に第１の色覚異常を有する者）にとって黄色との識別誤認を生じにくい青、緑、青緑、紫、藍等の単色又はこれらの混合色が含まれる。上記青系色に青色を用いた場合、黄色光との混合時にほぼ白色の発光色が得られるため、色覚正常者が受ける違和感を低減することができる。
【００１７】
第１の補助発光部は第１の主発光部内であればいずれの位置に配置されてもよい。典型的には、上記第１の補助発光部は、上記支持部材の中央部（あるいは第１の主発光部の中央部）に配置される。これにより色覚異常者に対して第１の補助発光部で表示される図形の視認性を高めることができる。
【００１８】
第１の補助発光部によって形成される上記青系色と黄色との混合色には、発光色が相互に異なる２種以上のＬＥＤ素子が用いられてもよい。例えば、上記第１の補助発光部は、上記青系色で発光可能な第１の補助ＬＥＤ素子の集合体を有する。この場合、上記第１の補助ＬＥＤ素子各々は、上記第１のＬＥＤ素子の集合体のうち所定の複数の第１のＬＥＤ素子にそれぞれ近接して配置される。
【００１９】
第１のＬＥＤ素子に対する第１の補助ＬＥＤ素子の近接距離は特に限定されない。当該距離が小さいほど、混色効率が高まり、色覚正常者の受ける違和感を低減することができる。
【００２０】
上記第１の補助ＬＥＤ素子は、上記第１のＬＥＤ素子よりも小型のＬＥＤ素子で構成されてもよい。これにより、第１のＬＥＤ素子間の間隔よりも狭い間隔で第１の補助ＬＥＤ素子を第１のＬＥＤ素子へ近接配置することが可能となる。
【００２１】
この場合、上記第１の補助ＬＥＤ素子各々を、前記複数の第１のＬＥＤ素子各々の周囲にそれぞれ少なくとも１つずつ配置することができる。典型的には、上記第１の補助ＬＥＤ素子の集合体は、上記複数の第１のＬＥＤ素子各々の鉛直下方にそれぞれ配置された複数の補助ＬＥＤ素子を含む。これにより当該信号灯器を見上げたときの第１の補助発光部の視認性を高めることができる。また、第１のＬＥＤ素子各々の周囲に複数の補助ＬＥＤ素子を配置することで、視点位置の依存度を低減でき、これにより第１の補助発光部の視認範囲を広げることができる。
【００２２】
また第１の補助発光部によって形成される上記青系色と黄色との混合色は、単一の素子で上記混合色を発光可能なＬＥＤ素子（例えばフルカラーＬＥＤ素子）が用いられてもよい。例えば、上記第１の補助発光部は、上記青系色と黄色との混合色で発光可能な複数のＬＥＤ素子で構成される。
【００２３】
上記信号灯器は、黄色灯のみ備えた一灯式の信号灯器で構成されてもよいし、赤色灯及び青色灯を備えた三灯式の信号灯器で構成されてもよい。
【００２４】
典型的には、上記信号灯器は、赤色灯をさらに具備する。
上記赤色灯は、第２の支持部材と、第２の主発光部と、第２の補助発光部とを有する。
上記第２の支持部材は、上記第１の支持部材に直交、もしくは隣接して配置される。上記第２の主発光部は、上記第２の支持部材上に配置され赤色発光可能な第２のＬＥＤ素子の集合体を有する。上記第２の補助発光部は、上記第２の主発光部内に上記第１の図形とは異なる第２の図形を描くように配置され、上記青系色と赤色との第２の混合色で上記第２の主発光部と同時に発光するように構成される。
【００２５】
上記信号灯器において、第２の補助発光部は、第２の主発光部と同時に発光される。このとき第２の補助発光部は、色覚異常者には青系色の所定の図形パターンで認識され、色覚正常者には上記青系色と赤色との混合色すなわち赤紫又は紫に近い色で認識される。したがって上記信号灯器によれば、色覚正常者にとっては違和感が少なく、色覚異常者にとっては黄色灯と赤色灯との識別が可能な信号灯器を構成することができる。
【００２６】
上記第２の補助発光部は、上記青系色で発光可能な第２の補助ＬＥＤ素子の集合体を有してもよい。この場合、上記第２の補助ＬＥＤ素子各々は、上記第２のＬＥＤ素子の集合体のうち所定の複数の第２のＬＥＤ素子各々にそれぞれ近接して配置される。
【００２７】
以下、図面を参照しながら、本発明の実施形態を説明する。
【００２８】
＜第１の実施形態＞
図１は、本発明の第１の実施形態に係る信号灯器を示す概略正面図であり、図２はその底面図である。なお図においてＸ軸及びＹ軸方向は相互に直交する水平方向を示し、Ｚ軸方向は鉛直方向を示している。
【００２９】
［信号灯器の全体構成］
本実施形態の信号灯器１００は、道路上に設置され、車両に一時停止表示又は徐行表示を視認させるための一灯式交通信号灯器として構成される。
【００３０】
信号灯器１００は、例えば十字路交差点に設置され、４つの一灯式点滅信号灯を組み合わせて構成されている。本実施形態では、Ｘ軸方向に平行な方向（例えば南北方向）に通行する車両を対象にして配置された一対の黄色信号灯１０Ｙ（黄色灯）と、Ｙ軸方向に平行な方向（例えば東西方向）に通行する車両を対象にして配置された一対の赤色信号灯１０Ｒ（赤色灯）とを有する。各信号灯１０Ｙ，１０Ｒは、それぞれ黄色及び赤色に発光可能なＬＥＤ（Light Emitting Diode）素子の集合体を光源とするＬＥＤ式点滅信号灯で構成される。
【００３１】
信号灯器１００は、各信号灯１０Ｙ，１０Ｒを共通に支持する支持体６０を有する。図２に示すように支持体６０は、メインフレーム部６１と補助フレーム部６２Ｙ，６２Ｒとを有する。補助フレーム部６２Ｙはメインフレーム部６１に固定され、一対の黄色信号灯１０Ｙを各々の背面が対向するように支持する。補助フレーム部６２Ｒはメインフレーム部６１に固定され、一対の赤色信号灯１０Ｒを各々の背面が対向するように支持する。メインフレーム部６１は、図示しないアーム部を介して同じく図示しない信号柱に固定される。
【００３２】
図３は、信号灯１０Ｙ，１０Ｒの要部概略断面図である。各々の信号灯１０Ｙ，１０Ｒは、ほぼ同様な構成を有しており、光源としてのＬＥＤ素子２（２Ｙ，２Ｒ）の集合体と、当該ＬＥＤ素子の集合体を支持する支持部材１（１Ｙ，１Ｒ）とを有する。なお図３においては、後述する黄色信号灯１０Ｙ及び赤色信号灯１０Ｒが有する補助ＬＥＤ素子３Ｙ，３Ｒの図示は省略されている。
【００３３】
支持部材１は、配線基板４４と反射防止板４５とを組み合わせて構成される。配線基板４４には、複数のＬＥＤ素子２が搭載される。反射防止板４５は、消灯時の外光（太陽光など）の反射を防止するためのもので、例えば黒色に着色された円形のプラスチック板で構成される。複数のＬＥＤ素子２は、反射防止板４５の面内に形成された複数の貫通孔内に収容される。支持部材１及びＬＥＤ素子２は、筐体４０の内部に収容され、ＬＥＤ素子２の発光部が筐体４０の外側に向くように筐体４０に固定される。
【００３４】
個々のＬＥＤ素子２は、例えば発光部にレンズ部が形成された砲弾型のＬＥＤランプで構成され、各々の筐体４０の内部に配置された支持部材１（配線基板４４）に電気的に接続される。配線基板４４は、各信号灯１０Ｙ，１０Ｒに個別に構成されており、外部から供給される電気信号に応じて信号灯１０Ｙ，１０Ｒの駆動を制御する駆動回路の一部を構成する。各信号灯１０Ｙ，１０Ｒの発光面には、フード（庇）４２とカバー４３とがそれぞれ設けられている。
【００３５】
次に、各信号灯１０Ｙ，１０Ｒの詳細について説明する。本実施形態の信号灯器１００においては、後述するように、黄色信号灯１０Ｙ及び赤色信号灯１０Ｒに、色覚正常者及び色覚異常者の双方に対して灯色の識別を可能とする、いわゆるユニバーサルデザインが採用されている。
【００３６】
［黄色信号灯］
図４は、黄色信号灯１０Ｙの正面図である。黄色信号灯１０Ｙは、支持部材１Ｙ（第１の支持部材）と、主発光部１１Ｙ（第１の主発光部）と、補助発光部１２Ｙ（第１の補助発光部）とを有する。
【００３７】
支持部材１Ｙは、主発光部１１Ｙ及び補助発光部１２Ｙを構成する複数のＬＥＤ素子２Ｙ，３Ｙを支持し、当該複数のＬＥＤ素子は、支持基板１Ｙの配線基板４４に電気的に接続される。
【００３８】
主発光部１１Ｙは、支持部材１Ｙ上に配置された黄色ＬＥＤ素子２Ｙ（第１のＬＥＤ素子）の集合体を有する。黄色ＬＥＤ素子２Ｙの集合体は、支持部材１Ｙ上に略円形の黄色発光領域を形成する。各黄色ＬＥＤ素子２Ｙは、主発光部１１Ｙの面内輝度が一様となるように相互に適宜の数及び間隔で配置され、各々同一の輝度で発光する。各黄色ＬＥＤ素子２Ｙは、配線基板４４によってそれぞれ同時に点灯（発光）あるいは消灯するように構成される。
【００３９】
補助発光部１２Ｙは、主発光部１１Ｙ内に所定の図形（第１の図形）を描くように配置される。補助発光部１２Ｙは、青系色と黄色との混合色で主発光部１１Ｙと同時に発光するように構成される。
【００４０】
本実施形態において補助発光部１２Ｙは、上記青系色で発光可能な補助ＬＥＤ素子３Ｙ（第１の補助ＬＥＤ素子）の集合体を有する。補助ＬＥＤ素子３Ｙは各々、黄色ＬＥＤ素子２Ｙの集合体のうち所定の複数の黄色ＬＥＤ素子２Ｙにそれぞれ近接して配置される。
【００４１】
補助発光部１２Ｙが描く図形パターンは特に限定されず、色覚異常者にとって識別しやすく、色覚正常者にとっては違和感の少ない形状、例えば「−」、「＋」、「×」、「△」、「○」等の直線、曲線あるいはそれらの組み合わせを選択することができる。本実施形態では、補助発光部１２Ｙの図形パターンとして水平方向に延びる「−」形の直線パターンが採用され、主発光部１１Ｙの中央部に当該図形パターンが表示される。
【００４２】
図示の例では、補助ＬＥＤ素子３Ｙの集合体は、水平方向（Ｙ軸方向）に一列に並ぶ素子配列体で構成される。補助ＬＥＤ素子３Ｙは、黄色ＬＥＤ素子２Ｙよりも小型の（素子サイズの小さい）ＬＥＤ素子で構成される。各補助ＬＥＤ素子３Ｙは、主発光部１１Ｙの中央部において水平方向に一列に並ぶ複数の黄色ＬＥＤ素子２Ｙの鉛直下方（直下）にそれぞれ配置される。
【００４３】
上述のように本実施形態においては、青系色で発光する補助ＬＥＤ素子３Ｙと、これら補助ＬＥＤ素子３Ｙに隣接する黄色ＬＥＤ素子２Ｙとにより、青系色と黄色との混合色で発光する補助発光部１２Ｙが構成される。
【００４４】
補助発光部１２Ｙを構成する複数の補助ＬＥＤ素子３Ｙは、主発光部１１Ｙと同時に点灯（発光）又は消灯するように構成される。点灯時、補助発光部１２Ｙは、色覚異常者には青系色の所定の図形パターンで認識され、色覚正常者には上記青系色と黄色との混合色すなわち白色に近い色で認識される。
【００４５】
このとき補助発光部１２Ｙを構成する黄色ＬＥＤ素子２Ｙは、主発光部１１Ｙを構成する黄色ＬＥＤ素子２Ｙと同一の輝度で発光してもよいし、それよりも低い輝度あるいは高い輝度で発光してもよい。
【００４６】
補助ＬＥＤ素子３Ｙの発光色としての青系色には、色覚異常者にとって黄色との識別誤認を生じにくい青、緑、青緑、紫、藍等の単色又はこれらの混合色が含まれる。本実施形態では上記青系色に青色が採用される。これにより黄色光との混合時にほぼ白色の発光色が得られるため、色覚正常者が受ける違和感を低減することができる。
【００４７】
補助発光部１２Ｙを構成する黄色ＬＥＤ素子２Ｙと補助ＬＥＤ素子３Ｙとの近接距離は特に限定されないが、当該距離が小さいほど混色効率を高めることができる。このため補助ＬＥＤ素子３Ｙの発光色が周囲の黄色に埋もれて認識され難くなるため、色覚正常者に対しては違和感の少ない黄色灯表示を提示することが可能となる。
【００４８】
また、補助ＬＥＤ素子３Ｙとして黄色ＬＥＤ素子２Ｙよりも小型のＬＥＤ素子が採用されているため、黄色ＬＥＤ素子２Ｙに対して補助ＬＥＤ素子３Ｙを近接配置することが容易となる。また、補助ＬＥＤ素子３Ｙを黄色ＬＥＤ素子２Ｙよりも小型化することで、補助ＬＥＤ素子３Ｙの発光量を黄色ＬＥＤ素子２Ｙよりも低下させることが可能となり、これによっても色覚正常者に対して違和感の少ない黄色灯表示をすることが可能となる。
【００４９】
さらに本実施形態では、個々の補助ＬＥＤ素子３Ｙが黄色ＬＥＤ素子２Ｙの鉛直下方に配置されているため、信号灯器１００を下方から見上げたときの補助発光部１２Ｙの視認性を高めることができる。特に色覚異常者にとっては、補助ＬＥＤ素子３Ｙの発光色の認識性が高まり、識別性の高い黄色灯表示を提示することが可能となる。
【００５０】
補助発光部１２Ｙの形態は、各々単一の黄色ＬＥＤ素子２Ｙ及び補助ＬＥＤ素子３Ｙからなる一組のＬＥＤ素子群を複数組、所定の図形パターンで配列する例に限られない。例えば、後述するように、上記一組のＬＥＤ素子群が１つの黄色ＬＥＤ素子２Ｙとその周囲に配置された２つ以上の補助ＬＥＤ素子３Ｙとで構成されてもよい。また、補助ＬＥＤ素子３Ｙは黄色ＬＥＤ素子２Ｙの位置に関係なく適宜の位置に配置されてもよい。
【００５１】
［赤色信号灯］
次に、図５は赤色信号灯１０Ｒの正面図である。赤色信号灯１０Ｒは、支持部材１Ｒ（第２の支持部材）と、主発光部１１Ｒ（第２の主発光部）と、補助発光部１２Ｒ（第２の補助発光部）とを有する。
【００５２】
支持部材１Ｒは、支持部材１Ｙと同様な構成を有し、支持部材１Ｙに直交して赤色信号灯１０Ｒの筐体４０に固定される。すなわち本実施形態において支持部材１ＲのＬＥＤ実装面が支持部材１ＹのＬＥＤ実装面に対して直交するように配置されている。支持部材１Ｒは、主発光部１１Ｒ及び補助発光部１２Ｒを構成する複数のＬＥＤ素子２Ｒ，３Ｒを支持し、当該複数のＬＥＤ素子は、支持基板１Ｒの配線基板４４に電気的に接続される。
【００５３】
主発光部１１Ｒは、支持部材１Ｒ上に配置された赤色ＬＥＤ素子２Ｒ（第２のＬＥＤ素子）の集合体を有する。赤色ＬＥＤ素子２Ｒの集合体は、支持部材１Ｒ上に略円形の赤色発光領域を形成する。各赤色ＬＥＤ素子２Ｒは、主発光部１１Ｒの面内輝度が一様となるように相互に適宜の数及び間隔で配置され、各々同一の輝度で発光する。各赤色ＬＥＤ素子２Ｒは、配線基板４４によってそれぞれ同時に点灯（発光）あるいは消灯するように構成される。
【００５４】
補助発光部１２Ｒは、主発光部１１Ｒ内に所定の図形（第２の図形）を描くように配置される。補助発光部１２Ｒは、青及び緑を含む青系色と赤色との混合色で主発光部１１Ｒと同時に発光するように構成される。
【００５５】
本実施形態において補助発光部１２Ｒは、上記青系色で発光可能な補助ＬＥＤ素子３Ｒ（第２の補助ＬＥＤ素子）の集合体を有する。補助ＬＥＤ素子３Ｒは各々、赤色ＬＥＤ素子２Ｒの集合体のうち所定の複数の赤色ＬＥＤ素子２Ｒにそれぞれ近接して配置される。
【００５６】
補助発光部１２Ｒが描く図形パターンは特に限定されず、色覚異常者にとって識別しやすく、色覚正常者にとっては違和感の少ない形状、例えば「−」、「＋」、「×」、「△」、「○」等の直線、曲線あるいはそれらの組み合わせを選択することができる。本実施形態では、補助発光部１２Ｒの図形パターンとして「×」形が採用され、主発光部１１Ｒの中央部に当該図形パターンが表示される。
【００５７】
図示の例では、補助ＬＥＤ素子３Ｒの集合体は、斜め方向に交差する２列の素子配列体で構成される。補助ＬＥＤ素子３Ｒは、赤色ＬＥＤ素子２Ｒよりも小型の（素子サイズの小さい）ＬＥＤ素子で構成される。各補助ＬＥＤ素子３Ｒは、主発光部１１Ｒの中央部において斜め方向に交差する２列の素子列を構成する複数の赤色ＬＥＤ素子２Ｒの鉛直下方（斜め下方）にそれぞれ配置される。
【００５８】
上述のように本実施形態においては、青系色で発光する補助ＬＥＤ素子３Ｒと、これら補助ＬＥＤ素子３Ｒに隣接する赤色ＬＥＤ素子２Ｒとにより、青系色と赤色との混合色で発光する補助発光部１２Ｒが構成される。
【００５９】
補助発光部１２Ｒを構成する複数の補助ＬＥＤ素子３Ｒは、主発光部１１Ｒと同時に点灯（発光）又は消灯するように構成される。点灯時、補助発光部１２Ｒは、色覚異常者には青系色の所定の図形パターンで認識され、色覚正常者には上記青系色と赤色との混合色すなわち紫や赤紫色で認識される。
【００６０】
このとき補助発光部１２Ｒを構成する赤色ＬＥＤ素子２Ｒは、主発光部１１Ｒを構成する赤色ＬＥＤ素子２Ｒと同一の輝度で発光してもよいし、それよりも低い輝度あるいは高い輝度で発光してもよい。
【００６１】
また、補助発光部１２Ｒの図形パターンが上述の黄色信号灯１０Ｙにおける補助発光部１２Ｙの図形パターンと異なるため、色覚異常者にとっては当該図形により赤色灯なのか黄色灯なのかの識別性が高められることになる。
【００６２】
補助ＬＥＤ素子３Ｒの発光色としての青系色には、色覚異常者にとって黄色との識別誤認を生じにくい青、緑、青緑、紫、藍等の単色又はこれらの混合色が含まれる。本実施形態では上記青系色に青色が採用される。これにより赤色光との混合時にほぼ紫色の発光色が得られるため、色覚正常者が受ける違和感を低減することができる。
【００６３】
補助ＬＥＤ素子３Ｒの発光色は、上述の黄色信号灯１０Ｙにおける補助ＬＥＤ素子３Ｙの発光色と同一であってもよいし、異なっていてもよい。また、これら補助ＬＥＤ素子３Ｒ，３Ｙに同一の発光色が採用された場合、これらの発光輝度は相互に同一であってもよいし、異なっていてもよい。すなわち補助発光部１２Ｙ，１２Ｒにて形成される混合色が、目的とする色調（あるいは色相）となるように補助ＬＥＤ素子３Ｙ，３Ｒの発光輝度は適宜調整されてもよい。
【００６４】
補助発光部１２Ｒを構成する赤色ＬＥＤ素子２Ｒと補助ＬＥＤ素子３Ｒとの近接距離は特に限定されないが、当該距離が小さいほど混色効率を高めることができる。このため補助ＬＥＤ素子３Ｒの発光色が周囲の赤色に埋もれて認識され難くなるため、色覚正常者に対しては違和感の少ない赤色灯表示を提示することが可能となる。
【００６５】
また、補助ＬＥＤ素子３Ｒとして赤色ＬＥＤ素子２Ｒよりも小型のＬＥＤ素子が採用されているため、赤色ＬＥＤ素子２Ｒに対して補助ＬＥＤ素子３Ｒを近接配置することが容易となる。また、補助ＬＥＤ素子３Ｒを赤色ＬＥＤ素子２Ｒよりも小型化することで、補助ＬＥＤ素子３Ｒの発光量を赤色ＬＥＤ素子２Ｒよりも低下させることが可能となり、これによっても色覚正常者に対して違和感の少ない赤色灯表示をすることが可能となる。
【００６６】
さらに上述の黄色信号灯１０Ｙと同様に、個々の補助ＬＥＤ素子３Ｒが赤色ＬＥＤ素子２Ｒの鉛直下方に配置されているため、信号灯器１００を下方から見上げたときの補助発光部１２Ｒの視認性を高めることができる。特に色覚異常者にとっては、補助ＬＥＤ素子３Ｒの発光色の認識性が高まり、識別性の高い赤色灯表示を提示することが可能となる。
【００６７】
補助発光部１２Ｒの形態は、各々単一の赤色ＬＥＤ素子２Ｒ及び補助ＬＥＤ素子３Ｒからなる一組のＬＥＤ素子群を複数組、所定の図形パターンで配列する例に限られない。例えば、後述するように、上記一組のＬＥＤ素子群が１つの赤色ＬＥＤ素子２Ｒとその周囲に配置された２つ以上の補助ＬＥＤ素子３Ｒとで構成されてもよい。また、補助ＬＥＤ素子３Ｒは赤色ＬＥＤ素子２Ｒの位置に関係なく適宜の位置に配置されてもよい。
【００６８】
［信号灯器の動作］
上述のように構成される本実施形態の信号灯器１００は、典型的には、黄色信号灯１０Ｙ及び赤色信号灯１０Ｒが各々交互に点滅するように制御される。
【００６９】
本実施形態によれば、黄色信号灯１０Ｙ及び赤色信号灯１０Ｒがユニバーサルデザインに対応する構成を有している。このため赤色と黄色とを混同する色覚異常者にとっては、補助発光部１２Ｙ，１２Ｒからの青系発光色を比較的明確に認識でき、したがってその青系発光色で描かれる図形パターンの相違に基づいて信号灯器１００の灯色を識別することが可能となる。
【００７０】
一方、色覚正常者にとっては、黄色信号灯１０Ｙ及び赤色信号灯１０Ｒの灯色がそれぞれ全体として赤（又はその同系色（例えば赤紫、ピンク等））及び黄（又はその同系色（例えば黄赤、黄緑等））として認識されるため、灯色の違和感を抑えることができる。加えて、補助発光部１２Ｙ，１２Ｒがそれぞれ主発光部１１Ｙ，１１Ｒ内に設けられているため、色覚正常者から見て補助発光部１２Ｙ，１２Ｒの存在が判り難くなり、これによっても上述の効果が高められる。
【００７１】
さらに本実施形態によれば、主発光部１１Ｙ，１１Ｒを構成するＬＥＤ素子２Ｙ，２Ｒに補助ＬＥＤ素子３Ｙ，３Ｒを追加的に設置する構成であるため、主発光部１１Ｙ，１１Ｒの発光面積が損なわれることはなく、したがって所定の発光輝度を確保することができる。
【００７２】
本実施形態によれば、黄色信号灯１０Ｙ及び赤色信号灯１０Ｒがそれぞれユニバーサルデザインに対応する構成を有しているため、赤色と黄色とを混同する色覚異常者に対して赤点滅（一時停止表示）であるか又は黄点滅（徐行表示）であるかを明確に識別させることができる。これにより安全で円滑な交通を確保することが可能となる。
【００７３】
特に一灯式信号灯の場合には、三灯式信号灯と異なり、点灯している位置情報（左、中、右）が与えられないため色覚異常者は、灯色の判別がつきにくい。これに対して本実施形態によれば、上述のように黄色信号灯１０Ｙ及び赤色信号灯１０Ｒがそれぞれユニバーサルデザインに対応する構成を有しているため、色覚異常者に対して灯色を明確に識別させることが可能となる。
【００７４】
［補助ＬＥＤ素子の詳細］
続いて、補助ＬＥＤ素子３Ｙ，３Ｒの詳細について更に説明する。
【００７５】
（１）配置例
黄色信号灯１０Ｙ及び赤色信号灯１０Ｒの補助発光部１２Ｙ，１２Ｒを構成する補助ＬＥＤ素子３Ｙ，３Ｒの配置は、上述の例に限られない。図６Ａ〜Ｆに、補助ＬＥＤ素子３Ｙ，３Ｒの代表的な配置例を示す。
【００７６】
図６Ａは、図４及び図５を参照して説明した補助発光部１２Ｙ，１２Ｒの構成に対応しており、黄色ＬＥＤ素子２Ｙ又は赤色ＬＥＤ素子２Ｒの直下に補助ＬＥＤ素子３Ｙ，３Ｒを配置した例を示す。これに対して図６Ｂは、補助ＬＥＤ素子３Ｙ，３Ｒが黄色ＬＥＤ素子２Ｙ又は赤色ＬＥＤ素子２Ｒの直上に配置された例を示し、図６Ｃは、補助ＬＥＤ素子３Ｙ，３Ｒが黄色ＬＥＤ素子２Ｙ又は赤色ＬＥＤ素子２Ｒの斜め下に配置された例を示している。
【００７７】
図６Ｄ〜Ｆは、複数個の補助ＬＥＤ素子３Ｙ，３Ｒが黄色ＬＥＤ素子２Ｙ又は赤色ＬＥＤ素子２Ｒの周囲に配置された例を示す。すなわち図６Ｄ，Ｅ及びＦは、黄色ＬＥＤ素子２Ｙ又は赤色ＬＥＤ素子２Ｒの周囲に２個、３個及び４個の補助ＬＥＤ素子３Ｙ，３Ｒがそれぞれ配置された例を示している。各々の補助ＬＥＤ素子３Ｙ，３Ｒは、典型的にはそれぞれ等角度間隔で配置されるが、これに限られない。
【００７８】
黄色ＬＥＤ素子２Ｙ又は赤色ＬＥＤ素子２Ｒの周囲に複数の補助ＬＥＤ素子３Ｙ，３Ｒを配置することで、視点位置の依存度を低減でき、これにより補助発光部１２Ｙ，１２Ｒの視認範囲を広げることができる。
【００７９】
なお図６Ｄ〜Ｆに示すように２個以上の補助ＬＥＤ素子３Ｙ，３Ｒが採用される場合においては、各々の補助ＬＥＤ素子は、相互に同一の色で発光するＬＥＤ素子で構成される例に限られず、相互に異なる色で発光するＬＥＤ素子（例えば青色ＬＥＤ素子と緑色ＬＥＤ素子）で構成されてもよい。
【００８０】
（２）明るさ
補助ＬＥＤ素子３Ｙ，３Ｒの明るさ（光度あるいは輝度）は、黄色信号灯１０Ｙ及び赤色信号灯１０Ｒの全体の明るさに応じて決定される。なお上述のように本実施形態では、補助ＬＥＤ素子３Ｙ，３Ｒとして青色発光可能なＬＥＤ素子が用いられる。
【００８１】
例えば図６Ａに示した本実施形態の補助ＬＥＤ素子３Ｙ，３Ｒの配置例で説明すると、黄色信号灯１０Ｙの全体光度が３００〜９００［ｃｄ］の間に設定される場合、例えば、主発光部１１Ｙを構成する黄色ＬＥＤ素子２Ｙの光度は全体光度の約８９％、補助発光部１２Ｙを構成する黄色ＬＥＤ素子２Ｙの光度は全体光度の約１０％、補助ＬＥＤ素子３Ｙの光度は全体光度の約１％に設定される。
【００８２】
同様に、赤色信号灯１０Ｒの全体光度が３００〜６００［ｃｄ］の間に設定される場合、例えば、主発光部１１Ｒを構成する赤色ＬＥＤ素子２Ｒの光度は全体光度の約９５％、補助発光部１２Ｒを構成する赤色ＬＥＤ素子２Ｒの光度は全体光度の約４％、補助ＬＥＤ素子３Ｒの光度は全体光度の約１％に設定される。
【００８３】
（３）色度
補助ＬＥＤ素子３Ｙ，３Ｒは、黄色信号灯１０Ｙ及び赤色信号灯１０Ｒの色度が国際照明委員会（ＣＩＥ）の推奨する色覚異常者を考慮した色度範囲に収まるような色度に設定されることが好ましい。上述のようにして明るさ（光度）を規定した黄色信号灯１０Ｙ及び赤色信号灯１０Ｒの色度を測定したところ、図７及び図８に示すような結果が得られた。
【００８４】
図７及び図８は、ｘｙ色度図における黄色信号灯１０Ｙの色度座標及び赤色信号灯１０Ｒの色度座標をそれぞれ示す。各図において破線で示す領域は、ＣＩＥで推奨されている色度範囲を表す。黄色信号灯１０Ｙの色度座標は、（ｘ，ｙ）＝（0.5526、0.4283）、赤色信号灯１０Ｒの色度座標は、（ｘ，ｙ）＝（0.6886、0.3049）であり、いずれもＣＩＥの推奨する色覚異常者を考慮した色度範囲に収まっていた。なお測定には、トプコンテクノハウス社製色彩輝度計「BM-7」を用いた。
【００８５】
（４）その他
補助発光部１１Ｙ，１２Ｙで表示される図形パターンを目立たせる方法として、コントラスト（明るさの差）を強くする方法と、図形部分の色と他の部分の色と相互に異ならせて表示する方法とがある。本実施形態では、これらの方法を最適化し併用することで、色覚異常者と正常者の両者に対して影響の少ない（優しい）真のユニバーサルデザインといえる信号灯器を実現することができる。
【００８６】
＜第２の実施形態＞
図９は、本発明の第２の実施形態に係る信号灯器２００を示す概略正面図である。本実施形態の信号灯器２００は、道路上に設置され、車両や通行人に停止表示、通行可能表示その他の交通管制情報を視認させるための三灯式交通信号灯として構成される。
【００８７】
信号灯器２００は、青色信号灯１０Ｂ（青色灯）と、黄色信号灯１０Ｙ（黄色灯）と、赤色信号灯１０Ｒ（赤色灯）と、各信号灯１０Ｂ，１０Ｙ，１０Ｒを共通に支持する筐体４１とを有する。
【００８８】
各信号灯１０Ｂ，１０Ｙ，１０Ｒは、筐体４１の所定位置に取り付けられ、図９において左から順に、青色信号灯１０Ｂ、黄色信号灯１０Ｙ及び赤色信号灯１０Ｒが配置されている。筐体４１は、典型的には金属材料で構成され、水平方向に長手方向を有する立体形状を有する。筐体４１は、アーム（腕金）６３を介して図示しない信号柱に固定される。各信号灯１０Ｂ，１０Ｙ，１０Ｒは、それぞれ青色、黄色及び赤色に発光可能なＬＥＤ（Light Emitting Diode）素子の集合体を光源とするＬＥＤ式信号灯で構成される。
【００８９】
このうち、黄色信号灯１０Ｙ及び赤色信号灯１０Ｒは、上述の第１の実施形態と同様の構成を有し、支持部材１Ｙ，１Ｒと、支持部材１Ｙ，１Ｒにそれぞれ配置された主発光部１１Ｙ，１１Ｒ及び補助発光部１２Ｙ，１２Ｒとを有する（図４及び図５）。支持部材１Ｙと支持部材１Ｒとは、各々のＬＥＤ実装面を同一方向に向けて相互に隣接して配置されている。黄色信号灯１０Ｙ及び赤色信号灯１０Ｒの構成は上述の第１の実施形態と同様であるため、それらの詳細な説明は省略する。
【００９０】
図１０は、青色信号灯１０Ｂの正面図である。青色信号灯１０Ｂは、支持部材１Ｂ（第３の支持部材）と、主発光部１１Ｂ（第３の主発光部）とを有する。
【００９１】
支持部材１Ｂは、支持部材１Ｙと同様な構成を有し、支持部材１Ｙに支持部材１Ｒとは反対側に隣接して筐体４１に固定される。支持部材１Ｂは、主発光部１１Ｂを構成する複数のＬＥＤ素子２Ｂを支持し、当該複数のＬＥＤ素子は、支持部材１Ｂの配線基板４４に電気的に接続される。本実施形態において配線基板４４は、各信号灯１０Ｂ，１０Ｙ，１０Ｒに共通に構成されてもよいし、個別に構成されてもよい。
【００９２】
主発光部１１Ｂは、支持部材１Ｂ上に配置された青色ＬＥＤ素子２Ｂ（第３のＬＥＤ素子）の集合体を有する。青色ＬＥＤ素子３Ｂの集合体は、支持部材１Ｂ上に略円形の青色発光領域を形成する。各青色ＬＥＤ素子２Ｂは、主発光部１１Ｂの面内輝度が一様となるように相互に適宜の間隔をあけて配置される。各青色ＬＥＤ素子２Ｂは、配線基板４４によってそれぞれ同時に点灯（発光）あるいは消灯するように構成される。
【００９３】
上述のように構成される本実施形態の信号灯器２００は、典型的には、青色信号灯１０Ｂ、黄色信号灯１０Ｙ及び赤色信号灯１０Ｒの順序でそれぞれ所定の時間ずつ点灯し、いずれか一つの信号灯が点灯している間は、他の２つの信号灯は消灯するように制御される。
【００９４】
本実施形態によれば、黄色信号灯１０Ｙ及び赤色信号灯１０Ｒがユニバーサルデザインに対応する構成を有している。このため赤色と黄色とを混同する色覚異常者にとっては、補助発光部１２Ｙ，１２Ｒからの青系発光色を比較的明確に認識でき、したがってその青系発光色で描かれる図形パターンの相違に基づいて信号灯器１００の灯色を識別することが可能となる。
【００９５】
一方、本実施形態の信号灯器２００は、例えば夜間等の特定の時間帯において、黄色信号灯１０Ｙあるいは赤色信号灯１０Ｒが単独で点滅表示する１灯点滅灯器として動作することができる。この場合においても、黄色信号灯１０Ｙ及び赤色信号灯１０Ｒがそれぞれユニバーサルデザインに対応する構成を有しているため、赤色と黄色とを混同する色覚異常者に対して赤点滅（一時停止表示）であるか又は黄点滅（徐行表示）であるかを明確に識別させることができる。
【００９６】
＜第３の実施形態＞
図１１及び図１２は、本発明の第３の実施形態に係る黄色信号灯及び赤色信号灯をそれぞれ示している。本実施形態では、第１の実施形態の構成および作用と同様な部分についてはその説明を省略または簡略化し、第１の実施形態と異なる部分を中心に説明する。
【００９７】
図１１を参照して、本実施形態の黄色信号灯２０Ｙは、支持部材１Ｙと、支持部材１Ｙ上に配置され黄色発光可能なＬＥＤ素子２Ｙの集合体を有する主発光部２１Ｙ（第１の発光部）と、主発光部２１Ｙ内に所定の図形（本例では「−」形）を描くように配置され青系色と黄色との混合色で主発光部２１Ｙと同時に発光するように構成された補助発光部２２Ｙ（第１の補助発光部）とを有する。
【００９８】
一方、図１２を参照して、本実施形態の赤色信号灯２０Ｒは、支持部材１Ｒと、支持部材１Ｒ上に配置され赤色発光可能なＬＥＤ素子２Ｒの集合体を有する主発光部２１Ｒ（第２の発光部）と、主発光部２１Ｒ内に所定の図形（本例では「×」形）を描くように配置され青系色と赤色との混合色で主発光部２１Ｒと同時に発光するように構成された補助発光部２２Ｒ（第２の補助発光部）とを有する。
【００９９】
本実施形態では、補助発光部２２Ｙ，２２Ｒの構成が上述の第１の実施形態と異なる。すなわち本実施形態では、補助発光部２２Ｙ，２２Ｒは、一灯で上記所定の混合色で各々点灯可能な補助ＬＥＤ素子４Ｙ，４Ｒの配列体でそれぞれ構成される。
【０１００】
典型的には、補助ＬＥＤ素子４Ｙ，４Ｒは、それぞれフルカラーＬＥＤ素子で構成される。黄色信号灯２０Ｙの補助ＬＥＤ素子４Ｙは、青、緑等の青系色で発光させてもよいが、補助ＬＥＤ素子４Ｙを当該青系色と黄色との混合色（例えば黄緑色）で発光させることで、色覚異常者にとっては識別可能であり、かつ正常者にとっては違和感の少ない黄色表示を提示することが可能となる。
【０１０１】
赤色信号灯２０Ｒの補助ＬＥＤ素子４Ｒもまた、青、緑等の青系色で発光させてもよいが、補助ＬＥＤ素子４Ｒを当該青系色と赤色との混合色（例えば紫系色）で発光させることで、色覚異常者にとっては識別可能であり、かつ正常者にとっては違和感の少ない赤色表示を提示することが可能となる。
【０１０２】
以上のように本実施形態においても上述の第１の実施形態と同様の作用効果が得られ、赤色と黄色とを混同する色覚異常者に対して灯色の識別を可能とし、これにより安全で円滑な交通を確保することが可能となる。
【０１０３】
以上、本発明の実施形態について説明したが、本発明は上述の実施形態にのみ限定されるものではなく、本発明の要旨を逸脱しない範囲内において種々変更を加え得ることは勿論である。
【０１０４】
例えば以上の第１の実施形態では、一対の黄色信号灯１０Ｙと一対の赤色信号灯１０Ｒとを有する一灯式点滅信号灯器１００を例に挙げて説明したが、４つの信号灯器のすべてが赤色点滅信号灯あるいは黄色点滅信号灯で構成されてもよい。また信号灯器１００は、４つの信号灯が直方体形状の支持体の四側面に配置された、いわゆる集約型の一灯式点滅信号灯器で構成されてもよい。
【０１０５】
また以上の各実施形態では、各信号灯は砲弾型ＬＥＤを支持部材（配線基板）上に直接配列した構造が採用されたが、これ以外にも、例えば、表面実装型ＬＥＤとこれを覆うレンズとを有する構造、導光板を用いて図形を表示する構造、有機ＥＬや無機ＥＬ等に代表される発光方式が採用可能であり、構造あるいは方式の違いにより効果が変わることはない。
【０１０６】
また以上の実施形態では、車両用信号灯を例に挙げて説明したが、鉄道用信号灯等の他の交通機関用信号灯にも本発明は適用可能である。さらに歩行者用信号灯、矢印信号灯、あるいは文字（例えば「WALK」、「DON'T WALK」等）をＬＥＤ素子等で表示する信号灯にも本発明は適用可能である。この場合、色覚異常者にとって識別可能な補助発光部を、例えば図形や文字の縁に沿って設けることができる。
【０１０７】
さらに以上の実施形態では、青色、黄色及び赤色の各信号灯１０Ｂ，１０Ｙ，１０Ｒが横方向に並べて配置された信号灯器を例に挙げて説明したが、これらの信号灯が縦方向に並べて配置された信号灯器にも、本発明は適用可能である。
【符号の説明】
【０１０８】
１，１Ｂ，１Ｙ，１Ｒ…支持部材
２，２Ｂ，２Ｙ，２Ｒ…ＬＥＤ素子
３Ｙ，３Ｒ，４Ｙ，４Ｒ…補助ＬＥＤ素子
１０Ｙ，２０Ｙ…黄色信号灯
１０Ｒ，２０Ｒ…赤色信号灯
１０Ｂ…青色信号灯
１１Ｙ，１１Ｒ，１１Ｂ，２１Ｙ，２１Ｒ…主発光部
１２Ｙ，１２Ｒ，２２Ｙ，２２Ｒ…補助発光部
４１，４２…筐体
１００，２００…信号灯器
【図１】
2015032163.tif 000003
【図２】
2015032163.tif 000004
【図３】
2015032163.tif 000005
【図４】
2015032163.tif 000006
【図５】
2015032163.tif 000007
【図６】
2015032163.tif 000008
【図７】
2015032163.tif 000009
【図８】
2015032163.tif 000010
【図９】
2015032163.tif 000011
【図１０】
2015032163.tif 000012
【図１１】
2015032163.tif 000013
【図１２】
2015032163.tif 000014